(57)【要約】【課題】室内外の遮音性を向上させる。【解決手段】前後一対のフレーム体１０、１０と、フレーム体１０、１０の間に分散配置してフレーム体１０、１０を連結する防振材２０、２０…とを設ける。一方の表面ボード３２、３２、フレーム体１０に加わる振動は、防振材２０、２０…を介し、大きく減衰して他方のフレーム体１０、表面ボード３２、３２に伝達される。【選択図】  図１
2004156316.tif 000002
【特許請求の範囲】
【請求項１】
互いに平行に配置する前後一対のフレーム体と、該フレーム体の間に分散配置する防振材とを備えてなり、該防振材は、それぞれ前記フレーム体を連結することを特徴とする移動間仕切りにおける移動パネルの骨組構造。
【請求項２】
前記各防振材は、ブロック状に形成することを特徴とする請求項１記載の移動間仕切りにおける移動パネルの骨組構造。
【請求項３】
前記各防振材は、前後に貫通するボルトを介して前記フレーム体を連結し、前記ボルトには、前記各フレーム体側に防振ワッシャを装着することを特徴とする請求項２記載の移動間仕切りにおける移動パネルの骨組構造。
【請求項４】
前記各防振材は、前面側、後面側に立設するスタッドボルトを介して前記フレーム体を連結することを特徴とする請求項２記載の移動間仕切りにおける移動パネルの骨組構造。
【請求項５】
前記各フレーム体は、断面長方形の角筒材を縦横に連結し、該角筒材の短辺側を前後方向に配置することを特徴とする請求項１ないし請求項４のいずれか記載の移動間仕切りにおける移動パネルの骨組構造。
【発明の詳細な説明】
【０００１】
【発明の属する技術分野】
この発明は、室内外の遮音性を向上させることができる移動間仕切りにおける移動パネルの骨組構造に関する。
【０００２】
【従来の技術】
ホテルなどの催事会場には、催事の規模に応じて室内を仕切る移動間仕切りを導入することがある。
【０００３】
従来の移動間仕切りは、天井面に敷設するガイドレールに沿って走行移動する移動パネルを介して室内空間を任意に間仕切りすることができ、移動パネルは、フレーム体の両面に表面ボードを付設して構成されている。なお、フレーム体は、たとえば断面長方形の角筒材を縦横に連結し、各角筒材は、長辺側を移動パネルの前後方向に配置して使用されている。
【０００４】
【発明が解決しようとする課題】
かかる従来技術によるときは、移動パネルの前後の表面ボードは、フレーム体を介して一体の剛体として組み立てられているから、室内外の遮音性がよくないという問題があった。前後の表面ボードの一方に加わる振動は、フレーム体を介して他方の表面ボードにそのまま伝達され、移動パネルを介して室内外に伝達される騒音が無視できないからである。
【０００５】
そこで、この発明の目的は、かかる従来技術の問題に鑑み、防振材を介して連結する前後一対のフレーム体を使用することによって、室内外の遮音性を大きく向上させることができる移動間仕切りにおける移動パネルの骨組構造を提供することにある。
【０００６】
【課題を解決するための手段】
かかる目的を達成するためのこの発明の構成は、互いに平行に配置する前後一対のフレーム体と、フレーム体の間に分散配置する防振材とを備えてなり、防振材は、それぞれフレーム体を連結することをその要旨とする。
【０００７】
なお、各防振材は、ブロック状に形成することができる。
【０００８】
また、各防振材は、前後に貫通するボルトを介してフレーム体を連結し、ボルトには、各フレーム体側に防振ワッシャを装着することができ、前面側、後面側に立設するスタッドボルトを介してフレーム体を連結することができる。
【０００９】
さらに、各フレーム体は、断面長方形の角筒材を縦横に連結し、角筒材の短辺側を前後方向に配置してもよい。
【００１０】
【作用】
かかる発明の構成によるときは、防振材は、前後一対のフレーム体の間に分離配置され、前後のフレーム体を相互に連結している。そこで、前後のフレーム体の一方に加わる振動は、防振材により大きく減衰されて他方のフレーム体に伝達され、したがって、室内外に伝達される騒音を小さくすることができる。なお、前後のフレーム体の各表面には、適切な下地材を介して表面ボードを付設するものとする。
【００１１】
各防振材は、ブロック状に形成することにより、フレーム体の連結作業が容易である上、前後のフレーム体間の騒音の伝達経路を限定し、遮音性を一層向上させることができる。また、防振材を挟み込む前後のフレーム体の間の隙間には、上下の可動シール材、左右の召合せ用の可動シール材を駆動する駆動機構を組み込むことができる。
【００１２】
各防振材は、前後に貫通するボルトを使用することにより、防振材自体の構造を最も簡単にすることができる。なお、ボルトは、前後の各フレーム体側に防振ワッシャを装着し、フレーム体から分離させて締め付けるものとする。
【００１３】
各防振材は、前面側、後面側に立設するスタッドボルトを設けることにより、フレーム体の連結作業を一層簡単にすることができる。
【００１４】
各フレーム体は、角筒材の短辺側を移動パネルの前後方向に配置することにより、全体剛性を十分大きく確保しながら、全体厚さを必要最小に抑えることが可能である。
【００１５】
【発明の実施の形態】
以下、図面を以って発明の実施の形態を説明する。
【００１６】
移動間仕切りにおける移動パネルの骨組構造は、前後一対のフレーム体１０、１０と、フレーム体１０、１０の間に分散配置する防振材２０、２０…とを備えてなる（図１、図２）。ただし、移動パネルは、左右のランナＲ、Ｒを介し、天井面Ｃに敷設する図示しないガイドレールに沿って自在に走行移動させることができる。
【００１７】
移動パネルは、防振材２０、２０…を介して連結する前後のフレーム体１０、１０の各外面に対し、それぞれ下地材３１を介して二重の表面ボード３２、３２を付設して構成されている。ただし、各面の表面ボード３２、３２の四周には、それぞれエッジ部材３４付きの構造材３３が装着されており、相対向する上下の構造材３３、３３の間には、それぞれ移動パネルの上下に天井面Ｃ、床面Ｆに向けて突出するシール材３５ａ、３５ａ付きの上下の可動シール材３５、３５が組み込まれている。また、相対向する左右の構造材３３、３３の間には、それぞれ移動パネルの左右に突出する召合せ用の可動シール材が組み込まれている。
【００１８】
なお、左右の可動シール材は、共通のハンドル軸３６ａを介して駆動する一連の駆動機構３６を介し、移動パネルの左右に一斉に突出させ、移動パネル内に一斉に退去させることができる。上下の可動シール材３５、３５も、図示しない駆動機構を介し、同様に作動させることができる。
【００１９】
前後のフレーム体１０、１０は、それぞれ複数の縦材１２、１２…を介し、上下の横材１１、１１を梯子状に連結し、横長の枠状に組み立てられている。各横材１１、縦材１２は、それぞれ同一サイズの断面長方形の角筒材であり、各角筒材は、短辺側を移動パネルの前後方向にして配置されている。なお、各フレーム体１０は、それぞれの横材１１、１１、縦材１２、１２…が互いに対称形に配置されており、前後に対応する横材１１、１１、縦材１２、１２は、少なくとも２以上の防振材２０、２０…を介して連結されている（図２、図３）。ただし、図３は、防振材２０による横材１１、１１の連結部分の拡大断面図であり、縦材１２、１２の連結部分も、図３と同一構造であるものとする。
【００２０】
各防振材２０は、たとえば適切な弾性を有する合成ゴム、合成樹脂などの弾性体により、ブロック状に形成されている。防振材２０は、前後に貫通するボルト２１と、ナット２１ａとを介して前後のフレーム体１０、１０の横材１１、１１を連結しており、ボルト２１の各フレーム体１０側には、防振ワッシャ２２が装着されている。なお、横材１１、１１には、各防振材２０に対応するようにして、ボルト２１、ナット２１ａを締付け操作するために、それぞれ開口部１１ａが形成されている。ボルト２１、ナット２１ａは、適切な弾性を有する防振ワッシャ２２、２２を介し、横材１１、１１から機械的に分離して固定されている。
【００２１】
移動パネルは、防振材２０、２０…を介して前後のフレーム体１０、１０が連結されているため、一方の表面ボード３２、３２、フレーム体１０に加わる振動は、防振材２０、２０…を介し、他方のフレーム体１０、表面ボード３２、３２側に大きく減衰して伝達され、全体として高度の遮音性を実現することができる。
【００２２】
【他の実施の形態】
防振材２０用の各防振ワッシャ２２は、ガイドリング２２ａ付きとしてもよい（図４）。ガイドリング２２ａは、横材１１に形成する大径のボルト孔１１ｂに嵌合させることにより、ボルト２１、ナット２１ａを横材１１、１１または縦材１２、１２から確実に分離させることができる。
【００２３】
各防振材２０は、前面側、後面側の両面にスタッドボルト２３、２３を立設してもよい（図５）。防振材２０は、各スタッドボルト２３にワッシャ２３ｂを介してナット２３ａを締め付けることにより、前後のフレーム体１０、１０を相互に連結することができる。
【００２４】
【発明の効果】
以上説明したように、この発明によれば、防振材を介して前後一対のフレーム体を連結することによって、一方のフレーム体に加わる振動は、防振材を介して大きく減衰して他方のフレーム体に伝達されるから、室内外の遮音性を大きく向上させることができるという優れた効果がある。
【図面の簡単な説明】
【図１】全体縦断面構成図
【図２】図１のＸ−Ｘ線矢視相当模式断面図
【図３】図２のＹ−Ｙ線矢視相当拡大断面図
【図４】他の実施の形態を示す要部拡大断面図
【図５】他の実施の形態を示す図３相当図
【符号の説明】
１０…フレーム体
２０…防振材
２１…ボルト
２２…防振ワッシャ
２３…スタッドボルト
【図１】
2004156316.tif 000003
【図２】
2004156316.tif 000004
【図３】
2004156316.tif 000005
【図４】
2004156316.tif 000006
【図５】
2004156316.tif 000007